(57)【特許請求の範囲】
【請求項１】
撮影を禁止する対象物または他の画像と合成すべき対象物を有する空間内で撮影を行うディジタルカメラ装置であって、
被写体を撮像する撮像部と、
該撮像部で取り込んだ撮像信号を処理する処理回路と、
前記処理回路で処理した被写体の画像を記憶する、カメラに着脱可能な第１の記憶手段と、
前記空間内に設置されている１以上の送信装置から発せられる複数の特定信号を受信する受信部と、
複数の前記特定信号それぞれに対応する画像データを記憶し、該画像データを更新可能である第２の記憶手段と、
撮影者が複数の前記特定信号を受信する前記空間内で撮影操作を行った場合、前記特定信号の１つを受信したとき、前記特定信号によって、前記撮像部から取り込む被写体像の代わりに前記第２の記憶手段から対応の画像データを読み出し、前記第１の記憶手段に記憶するか、または、前記第２の記憶手段から対応の画像データを読み出し、該画像データを前記撮像部から取り込む被写体像のデータと合成処理し、合成処理した画像データを前記第１の記憶手段に記憶するかの制御を行う制御手段と、
を備え、
前記空間内で撮影禁止対象物または合成すべき対象物を撮影した場合、撮影禁止対象物に対応する画像または合成すべき対象物に対応する画像のいずれか一方を得ることを特徴とするディジタルカメラ装置。
【請求項２】
前記複数の特定信号は、周波数がそれぞれ異なるか、それぞれ位相が異なるか、またはそれぞれ振幅が異なるかのいずれかの種類の信号群内の２つ以上の信号の組み合わせにより形成され、置き換える画像か、合成する画像を決定し、
かつ、前記空間内に配置されている送信装置は、人の存在を検知したとき、起動されて特定信号を送出することを特徴とする請求項１記載のディジタルカメラ装置。
【請求項３】
前記受信部は赤外線方式により特定信号を受信するか、電波によって特定信号を受信するかのいずれかであることを特徴とする請求項１または２記載のディジタルカメラ装置。
【請求項４】
撮影を禁止する対象物または他の画像と合成すべき対象物を有する空間内に設置されている複数の特定信号を送信する１以上の送信装置と、
被写体を撮像する撮像部，該撮像部で取り込んだ撮像信号を処理する処理回路，前記処理回路で処理した被写体の画像を記憶する、カメラに着脱可能な第１の記憶手段，１以上の前記送信装置から発せられる複数の特定信号を受信する受信部，複数の前記特定信号それぞれに対応する画像データを記憶し、該画像データを更新可能である第２の記憶手段ならびに撮影者が複数の前記特定信号を受信する前記空間内で撮影操作を行った場合、前記特定信号の１つを受信したとき、前記特定信号によって、前記撮像部から取り込む被写体像の代わりに前記第２の記憶手段から対応の画像データを読み出し、前記第１の記憶手段に記憶するか、または、前記第２の記憶手段から対応の画像データを読み出し、該画像データを前記撮像部から取り込む被写体像のデータと合成処理し、合成処理した画像データを前記第１の記憶手段に記憶するかの制御を行う制御手段を備え、前記空間内で撮影禁止対象物または合成すべき対象物を撮影した場合、撮影禁止対象物に対応する画像または合成すべき対象物に対応する画像のいずれか一方を得るディジタルカメラ装置と、
を具備したことを特徴とするディジタルカメラシステム。
【請求項５】
前記複数の特定信号は、周波数がそれぞれ異なるか、それぞれ位相が異なるか、またはそれぞれ振幅が異なるかのいずれかの種類の信号群内の２つ以上の信号の組み合わせにより形成され、置き換える画像か、合成する画像を決定し、
かつ、前記空間内に配置されている送信装置は、人の存在を検知したとき、起動されて特定信号を送出することを特徴とする請求項４記載のディジタルカメラシステム。
【請求項６】
前記送信装置は赤外線方式により特定信号を送出するか、電波によって特定信号を送信するかのいずれかであることを特徴とする請求項４または５記載のディジタルカメラシステム。
【発明の詳細な説明】
【技術分野】
【０００１】
本発明は、ディジタルカメラ及びディジタルビデオカメラにおいて、外部より特定信号を受け取った場合、内部や外部に予め記憶されている、受け取った信号に対応する静止画像および動画を本来撮影される静止画像および動画の代わりに記録する、または合成するディジタルカメラ装置およびこのディジタルカメラ装置と特定信号を発信する発信部よりなるディジタルカメラシステムに関する。
【背景技術】
【０００２】
一般的なディジタルカメラは、撮影レンズにより集められた被写体像を撮像素子で受光して映像の電気信号を出力し、これに処理を施して電子的な映像情報に変換し、メモリカードなどの記録装置に記録するものである。この工程処理を連続的に行い、さらに音声も同時に記録するものがディジタルビデオカメラになるが、本願では静止画を撮るディジタルカメラと同じくディジタルビデオカメラもディジタルカメラの範疇とする。
【０００３】
ディジタルカメラを用い、実際に撮影する対象とは異なる画像を撮影画像として記憶部に保存するシステムがカメラの応用範囲として考えられる。
ディジタルカメラで被写体を撮影する場合、場所によっては、撮影するに適しない所（撮影する範囲が暗く通常は撮影対象と撮影者が判断できない個所）が存在したり、撮影が禁止されている個所が存在する。かかる場合に、実際の被写体ではなく、代わりにその場所に由来する対象を撮影できれば、撮影者は期待以上のファンシーな写真やビデオを得ることができる。また、撮影禁止を示す画像が撮影されれば、被写体側管理者は、その付近を撮影されたとしても、カメラ内には撮影者が意図した以外の画像が撮影され、初期の目的を達成することができる。
【０００４】
さらに、例えば観光地などでは、風景を背景とした記念撮影は一般的であるが、かかる場合に観光地に関連するキャラクタなどを記念撮影に挿入できれば、撮影者にとって従来にない写真やビデオを得ることができる。
ところで、ディジタルカメラで撮像した画像データを端末装置に送信して、これを受けた端末装置の送信部により該画像データを転送先宛に送信する送信部を備えたシステムが提案されている（特許文献１）。しかしながら、該提案はディジタルカメラで撮影した画像データを遠い場所に送ることを目的として、実際に撮影した画像のみを送るものであり、撮影個所に係わる条件での画像を取り込むものではない。
【特許文献１】特開２００６−１０１３５５号公報
【発明の開示】
【発明が解決しようとする課題】
【０００５】
本発明は、上記背景に鑑みなしたもので、その目的は、その場所の状況に応じて物理的に見える対象以外の画像を撮影画像の代わりに記憶するか、または撮影した画像と予め用意されている画像を合成した静止画，動画を撮影して記録することにより、従来にない撮影を行うことができるディジタルカメラ装置およびディジタルカメラシステムを提供することにある。
【課題を解決するための手段】
【０００６】
前記目的を達成するために本発明の請求項１は撮影を禁止する対象物または他の画像と合成すべき対象物を有する空間内で撮影を行うディジタルカメラ装置であって、被写体を撮像する撮像部と、該撮像部で取り込んだ撮像信号を処理する処理回路と、前記処理回路で処理した被写体の画像を記憶する、カメラに着脱可能な第１の記憶手段と、前記空間内に設置されている１以上の送信装置から発せられる複数の特定信号を受信する受信部と、複数の前記特定信号それぞれに対応する画像データを記憶し、該画像データを更新可能である第２の記憶手段と、撮影者が複数の前記特定信号を受信する前記空間内で撮影操作を行った場合、前記特定信号の１つを受信したとき、前記特定信号によって、前記撮像部から取り込む被写体像の代わりに前記第２の記憶手段から対応の画像データを読み出し、前記第１の記憶手段に記憶するか、または、前記第２の記憶手段から対応の画像データを読み出し、該画像データを前記撮像部から取り込む被写体像のデータと合成処理し、合成処理した画像データを前記第１の記憶手段に記憶するかの制御を行う制御手段とを備え、前記空間内で撮影禁止対象物または合成すべき対象物を撮影した場合、撮影禁止対象物に対応する画像または合成すべき対象物に対応する画像のいずれか一方を得ることを特徴とする。
本発明の請求項２は、請求項１記載の発明において前記複数の特定信号は、周波数がそれぞれ異なるか、それぞれ位相が異なるか、またはそれぞれ振幅が異なるかのいずれかの種類の信号群内の２つ以上の信号の組み合わせにより形成され、置き換える画像か、合成する画像を決定し、かつ、前記空間内に配置されている送信装置は、人の存在を検知したとき、起動されて特定信号を送出することを特徴とする。
本発明の請求項３は請求項１または２記載の発明において前記受信部は赤外線方式により特定信号を受信するか、電波によって特定信号を受信するかのいずれかであることを特徴とする。
本発明の請求項４は撮影を禁止する対象物または他の画像と合成すべき対象物を有する空間内に設置されている複数の特定信号を送信する１以上の送信装置と、被写体を撮像する撮像部，該撮像部で取り込んだ撮像信号を処理する処理回路，前記処理回路で処理した被写体の画像を記憶する、カメラに着脱可能な第１の記憶手段，１以上の前記送信装置から発せられる複数の特定信号を受信する受信部，複数の前記特定信号それぞれに対応する画像データを記憶し、該画像データを更新可能である第２の記憶手段ならびに撮影者が複数の前記特定信号を受信する前記空間内で撮影操作を行った場合、前記特定信号の１つを受信したとき、前記特定信号によって、前記撮像部から取り込む被写体像の代わりに前記第２の記憶手段から対応の画像データを読み出し、前記第１の記憶手段に記憶するか、または、前記第２の記憶手段から対応の画像データを読み出し、該画像データを前記撮像部から取り込む被写体像のデータと合成処理し、合成処理した画像データを前記第１の記憶手段に記憶するかの制御を行う制御手段を備え、前記空間内で撮影禁止対象物または合成すべき対象物を撮影した場合、撮影禁止対象物に対応する画像または合成すべき対象物に対応する画像のいずれか一方を得るディジタルカメラ装置とを具備したことを特徴とする。
本発明の請求項５は請求項４記載の発明において前記複数の特定信号は、周波数がそれぞれ異なるか、それぞれ位相が異なるか、またはそれぞれ振幅が異なるかのいずれかの種類の信号群内の２つ以上の信号の組み合わせにより形成され、置き換える画像か、合成する画像を決定し、かつ、前記空間内に配置されている送信装置は、人の存在を検知したとき、起動されて特定信号を送出することを特徴とする。
本発明の請求項６は請求項４または５記載の発明において前記送信装置は赤外線方式により特定信号を送出するか、電波によって特定信号を送信するかのいずれかであることを特徴とする。
本発明によるディジタルカメラ装置では、例えばディジタルカメラには赤外線の受光部が備わっており、またある施設内には赤外線の発光部とこの発光部から特定信号を光信号として発信する装置が随所に設置してあり、当ディジタルカメラをこの施設内で使用した場合、発光部から発信される赤外線の光信号をカメラが受け取っている場所で使用して映像を撮影した場合、カメラ内部の記憶装置に記憶されている、受け取った赤外線信号情報に対応する静止画像、例えば「ここは撮影禁止です」などの掲示画や、得点映像的な静止画像が、この時に通常レンズを通して入力される映像の代わりに、通常の映像記憶部に記憶される。
【発明の効果】
【０００７】
上記構成によれば、例えば、イベント会場で通常の環境では撮影することのできない心霊写真を撮影できたり、美術館などの施設において、管理者側が注意などを呼びかけなくても撮影禁止の個所では対象の撮影を禁止できたりする。さらに観光地などでは観光ポイントに関連したキャラクターやフレームが被写体に合成されて撮影されるなど、従来にない写真やビデオを撮ることができる。
【発明を実施するための最良の形態】
【０００８】
以下、図面を参照して本発明をさらに詳しく説明する。  
図１は本発明によるディジタルカメラ装置を用いて撮影する状態を説明するための図である。
部屋７の中に撮影者２がディジタルカメラ１を展示品（絵画）３に向けて撮影を行おうとしている。展示品３の上部に特定信号で変調された赤外線を送出する発信機４が設置されている。赤外線が発せられる範囲は広角であり、少なくとも撮影者が展示品を撮影しようとする位置に入った領域をカバーする範囲である。また、天井８に電波による発信機５が設置されている。発信機５は部屋内の全範囲をサービスエリアとしている。
【０００９】
例えば、この部屋で展示品３を撮影することが禁止である場合、赤外線を受信したディジタルカメラ１が記録映像としてその表示画面に「撮影禁止」を示すような絵などを出力する。また、この部屋が心霊現象のある場所であるならば、発信機５からの電波をディジタルカメラ１が受信することにより、撮影した映像に肉眼では確認できなかったもの（例えば、火の玉）を合成する。
このようなシステムはディジタルカメラと、発信機４または５の組み合わせによって構成される。
【００１０】
図２は、本発明によるディジタルカメラ装置の回路の実施の形態を示す回路ブロック図である。
被写体１０からの光はズームレンズ１１，フォーカスレンズ１２および図示しない絞りを介してＣＣＤ１３に結像される。ＣＣＤ１３ではＣＣＤ制御部１７からのタイミング信号により光画像信号が電気信号に変換され、アナログディジタル（ＡＤ）変換部１４に入力される。ＡＤ変換部１４でディジタル信号に変換された画像信号は制御部１８に送られる。制御部１８はＣＣＤ信号処理部１８ａによって色補完処理，ガンマ補正、画像圧縮、高周波成分検出などを行う。メモリ部１６はこれらの処理の作業メモリとして用いられ、圧縮画像などが記憶される。
【００１１】
制御部１８で処理された被写体画像はＬＣＤ駆動部２１を介して液晶表示部（ＬＣＤ）２２に表示される。撮影ボタン２５が押されてその押し情報によりＣＣＤ制御部１７により取り込まれる画像が撮影画像となる。
以上の流れは通常に撮影されて取り込まれる画像の処理内容である。
上記画像圧縮部は例えばサイズを小さくするためのＪＰＧに変換する部分である。高周波成分検出部で検出される画像に含まれる高周波成分は合焦信号とて用いられる。ガンマ補正は、低輝度から高輝度までのコントラストを適切に出すためにそのカーブを補正することにより黒つぶれや高輝度の背景との分離を適切にするために補正されるものである。  合焦・ズーム制御部１８ｂは画像の高周波成分を得て、合焦信号をフォーカスレンズ駆動部１９に送り、フォーカスレンズ１２を前後に移動させることにより、合焦を行う。また、合焦・ズーム制御部１８ｂはズームＳＷ（Ｔ）２６と、ズームＳＷ（Ｗ）２７から送られるズーム情報によりズームレンズ駆動部２０に駆動信号を送りズームレンズ１１を移動させ、被写体に対する倍率を変化させる。
【００１２】
フラッシュメモリ部９には送信機から特定信号を受けたときに差し替える映像や合成する映像を格納している。差し替える映像（画像）や合成すべき映像（画像）は、特定信号、例えば、Ａ周波数とＢ周波数の信号の組み合わせであった場合、それに対応し差し替える、または実際に撮影した画像と合成する画像が多数格納されている。フラッシュメモリ部９の内容はコンピュータなどに接続して通信する等、様々な手段において内容の更新を行うことができる。また、差し替える、または合成すべき他の映像が格納されたフラッシュメモリ部を交換することも可能である。
【００１３】
赤外線受光部２８は、カメラに電源を入れた場合、送信機から特定信号で変調された赤外線ビームを受信すると、その情報を変復調回路３１に送る。変復調回路３１は復調して特定信号を抽出し、抽出された特定信号は外部信号送受信処理部１８ｃに送られる。外部信号送受信処理部１８ｃから制御を渡された制御部１８はフラッシュメモリ部９にアクセスし特定信号対応の映像を読み出す。ここで特定信号対応に読み出された映像を合成するか、撮影した映像と差し替えるかはそれぞれの特定信号で決められている。
フラッシュメモリ部９から読み出された特定信号対応の映像は、画像差し替え・画像合成処理部１８ｄによって画像差し替えか、または画像合成処理か行われる。例えばＡ周波数とＢ周波数の組み合わせの場合、この組み合わせが画像合成という処理であれば、撮影した映像と特定信号対応の映像の合成が行われる。記録映像としてカードに記録されＬＣＤ２２にその合成画像が表示される。
赤外線受光部２８はディジタルカメラ本体の前面や側面に複数有しており、いずれからの受光部からも外部からの赤外線ビームを受信することができる。
【００１４】
また、例えば周波数Ｃと周波数Ｄの組み合わせの場合、この組み合わせが画像差し替えであれば、撮影した画像をフラッシュメモリ部９から読み出した画像と差し替える処理を行う。記録映像としてカードに記録されＬＣＤ２２にその差し替え画像が表示される。
制御部１８は外部信号送受信処理部１８ｃがカメラ電源投入の時に、特定信号受信を行っていない場合、通常の撮影を行う。
受信部３０は電波を受信する回路であり、搬送波が特定信号で変調された電波を受信した場合、その情報を変復調回路２９に送る。変復調回路２９は復調して特定信号を抽出し、抽出された特定信号は外部信号送受信処理部１８ｃに送られる。外部信号送受信処理部１８ｃから制御を渡された制御部１８はフラッシュメモリ部９にアクセスし特定信号対応の映像を読み出す。フラッシュメモリ部９から読み出された特定信号対応の映像は、画像差し替え・画像合成処理部１８ｄによって画像差し替えか、または画像合成処理を行う。例えばＢ信号とＣ信号の組み合わせの場合、その組み合わせが差し替えであれば撮影された映像の代わりにＢ信号とＣ信号の組み合わせ対応の映像に差し替える。
【００１５】
制御部１８は撮影が行われた場合、カード読み書き制御部２３に指令を出し、カード装着部２４に外部装着カード（ＳＤカードなど）が差し込まれていれば、その格納領域に通常の撮影の映像，特定信号による差し替え映像または特定信号による合成画像の何れかを格納する。
【００１６】
図３は、発信機の構造を説明するための図である。
発信機５は特定信号（撮影禁止の映像に置き換える）で搬送波を変調しアンテナ５ａから発信している。
赤外線の発信機４は特定信号で赤外線を変調し、図示しないＬＥＤからその変調された赤外線ビームを送出する。赤外線は放射角度は狭いため、所定の角度以上には送出することができない。したがって、ある程度決められた範囲内の方向からでないと撮影できない絵画などに付設するのがよい。
発信機５，赤外線の発信機４は例えば部屋に設けられているのであれば、その部屋（または特定の領域）に誰もいない状態ではオフ状態であり、図示しない検知手段が人の存在を検知したとき、オンするように設定することができる。すべての人がその部屋から立ち去った場合、所定の時間後に電源オフする。
【００１７】
図４は、本発明によるディジタルカメラ装置の動作を説明するためのフローチャートである。
発信機が設置されている場所にディジタルカメラ装置が持ち込まれてディジタルカメラ装置に電源が投入されていると想定する。
発信機５は撮影を禁止し、その映像に差し替える特定信号が変調された制御信号（搬送波など）を発信している（ステップ（以下「Ｓ」という）００１）。
ディジタルカメラ装置の受信部３０は発信機５からの制御信号を受信し（Ｓ００２）、特定信号を抽出し、制御部１８に送る。制御部１８は、この特定信号を一旦、メモリ部１６に記憶する。
【００１８】
つぎに制御部１８は撮影ボタン２５が押されたか否かを監視する（Ｓ００３）。撮影ボタン２５が押されれば、ＣＣＤ制御部１７による制御により被写体像（撮影データ）をＣＣＤ１３に取り込み、ＡＤ変換してＣＣＤ信号処理部１８ａで画像圧縮などの処理を行う（Ｓ００４）。そしてその画像をメモリ部１６に一時保持する。
制御部１８は、特定信号を受信しているか否かを判断する（Ｓ００５）。この例の場合、既に特定信号をメモリ部１６に記憶していることから、Ｓ００７に進む。
なお、特定信号を受信していない場合は、Ｓ００１，Ｓ００２のステップは存在しないため、この場合、制御部１８は撮影データを観賞用画像データに変換し（Ｓ００６）、観賞用画像データをカード装着部２４に装着されたカードへ保存する（Ｓ０１１）。
【００１９】
一方、Ｓ００７では、制御部１８は特定信号が映像の差し替えを指示するものであるか否かを判断する。差し替えを指示するものであれば、フラッシュメモリ部９から特定信号に対応する差し替え用画像データを読み出し（Ｓ０１２）、画像差し替え・画像合成処理部１８ｄはカード装着部２４に装着されたカードへ保存する（Ｓ０１３）。
差し替えを指示するものでなければ、特定信号に対応する合成画像データをフラッシュメモリ部９から読み出し（Ｓ００８）、画像差し替え・画像合成処理部１８ｄは、メモリ部１６に格納されている撮影データとフラッシュメモリ部９から読み出した合成画像データとを合成し（Ｓ００９）、合成した画像を観賞用画像データへ変換し（Ｓ０１０）、観賞用画像データをカード装着部２４に装着されたカードへ保存する（Ｓ０１１）。
【００２０】
以上により差し替え用画像データまたは観賞用画像データをカードへ保存した後、制御部１８は電源ボタンがオフされたか否かを判断する（Ｓ０１４）。電源ボタンがオフされた場合は、ディジタルカメラ装置での撮影は終了する。依然として電源オンであれば、発信機からの制御信号を受信し、撮影ボタンが押されたか否かの判断に移行する（Ｓ００１，Ｓ００２，Ｓ００３）。
上記実施の形態の画像は静止画であっても、動画であってもよい。
【００２１】
図５は、本発明によるディジタルカメラ装置を用いて得られる画像例を示す図である。  図５を用いて具体的な使用方法を説明する。
遊園地のような施設のお化け屋敷的なアトラクションにおいて、入場者は本発明によるディジタルカメラ装置を持っているものとする。また、アトラクションの様々な場所や個所に本発明における特定信号を送出するための発信機が設置されているものとする。
入場者は任意にアトラクション内を撮影することができる。入場者の撮影位置と撮影方向が、設置されている発信機のいずれかの特定信号の受信領域にいる場合、予めカメラが記憶している心霊写真が撮影される。
すなわち、フラッシュメモリ部９には特定信号毎に合成すべき画像が多数記憶されている。このフラッシュメモリ部９内の特定信号対応の画像を読み出して実際に撮影した画像と合成する。
【００２２】
図５（ａ−１）〜（ａ−３）は心霊写真が合成される場合の例である。
図５（ａ−１）は絵３５の前に人３６が立っている状態の撮影画像である。これに向けて撮影すると、図５（ａ−２）で示すようなお化け３７の合成すべき画像がフラッシュメモリ部９より読み出され、図５（ａ−３）示すように絵３５と人３６の撮影画像にお化け３７が合成される。これはカード等に記録される記録映像である。
【００２３】
つぎに美術館などの施設において、原則ディジタルカメラ装置などの持ち込みは禁止であり、本発明における機能を有するディジタルカメラ装置を貸し出しているとする。
撮影不可エリアに設置されている送信機が発する特定信号は撮影不可を示すものである。フラッシュメモリ部９には特定信号対応の撮影を不可とする映像が記録されている。撮影可能な領域では送信機が設置されておらず、設置されていても送信機からは撮影不可対応の特定信号の送出はされていない。このようにすることにより、エリアによって撮影不可，撮影可能の切り分けを行っている。
【００２４】
図５（ｂ−１）〜（ｂ−３）は撮影禁止の写真に差し替えられる場合の例である。
図５（ｂ−１）は展示台３９の上に展示されたつぼ４０の撮影画像である。しかしながら、送信機には撮影禁止を示す特定信号が送出されており、特定信号を受信することによりフラッシュメモリ部９から図５（ｂ−２）に示すように撮影禁止の差し替え用画像４１が読み出され、この差し替え用画像４１に撮影画像が置き換えられる。図５（ｂ−３）は差し替え用画像４１に置き換えられた記録映像である。
【００２５】
さらに観光地において、観光ポイントに信号の発信機を設置し、本発明によるディジタルカメラ装置により撮影することにより、観光ポイントに関連したキャラクターやフレームを撮影画像に合成して記録することもできる。
【００２６】
以上の実施の形態では赤外線による信号の送受信方法および電波による送受信方法の例を説明したが、信号の送受信方法に関しては、赤外線，電波の他にレーザー、パターンコードなども使用でき、その種類は限定されない。
また、特定信号は、Ａ周波数，Ｂ周波数・・・のうち、２つの周波数の組み合わせにより作成し、各組み合わせに対し、差し込みか、合成かの決めている方法の例を説明したが、特定信号の内容はこれに限ることではなく、２以上の周波数の組み合わせであってもよい。また、周波数の組み合わせでなく、信号の多数の位相の組み合わせによっても特定信号を作ることができる。また、多数の信号の振幅の組み合わせで特定信号を作ることも可能である。
【００２７】
また、ディジタルカメラが有する特定信号に対応する静止画または動画のデータは、これを記憶している記憶部を交換したり、またコンピュータなどに接続して通信する等、様々な手段において内容の更新を行うことができる。さらには特定信号に対応する静止画または動画のデータはディジタルカメラ装置内には内蔵せず、送受信部により他のサーバ装置内のデータベース等に格納されているものを送受信部により読み出して差し替え用画像や合成すべき画像とすることができる。さらに記録する静止画や動画データ自体を特定信号と共に受信して、その静止画や動画データを記録することも可能である。
なお、ディジタルカメラ装置自体に信号を発信する機能も付加し、また自らが発信する信号には発信元がこれを受信して対応することはないように構成されている。撮影者のディジタルカメラ装置自体が自ら発する信号によって心霊写真などを合成してしまうからである。
【産業上の利用可能性】
【００２８】
遊園地，美術館，観光地などで設置されている発振機との組み合わせで、外部より特定信号を受け取った場合、内部や外部に予め記憶されている、受け取った信号に対応する静止画像または動画を本来撮影される静止画像または動画の代わりに記録するディジタルカメラ装置である。また合成などをするディジタルカメラ装置とこのディジタルカメラ装置と特定信号を発信する発信部よりなるディジタルカメラシステムである。
【図面の簡単な説明】
【００２９】
【図１】本発明によるディジタルカメラ装置を用いて撮影する状態を説明するための図である。
【図２】本発明によるディジタルカメラ装置の回路の実施の形態を示す回路ブロック図である。
【図３】発信機の構造を示す図である。
【図４】本発明によるディジタルカメラ装置の動作を説明するためのフローチャートである。
【図５】本発明によるディジタルカメラ装置を用いて得られる画像例を示す図である。
【符号の説明】
【００３０】
１  ディジタルカメラ  
２  撮影者  
３  展示品（絵画）
４  発信機（赤外線）  
５  発信機（電波）
６  ドア
９  フラッシュメモリ部
１０  被写体
１１  ズームレンズ
１２  フォーカスレンズ
１３  ＣＣＤ
１４  ＡＤ変換部
１５  信号処理部
１６  メモリ部
１７  ＣＣＤ制御部
１８  制御部
１９  フォーカスレンズ駆動部
２０  ズームレンズ駆動部
２１  ＬＣＤ駆動部
２２  ＬＣＤ
２３  カード読み書き制御部
２４  カード装着部
２５  撮影ボタン
２６  ズームＳＷ（Ｔ）
２７  ズームＳＷ（Ｗ）
２８  赤外線受光部
２９  変復調回路
３０  受信部
【図１】
0005137665.tif 000002
【図２】
0005137665.tif 000003
【図３】
0005137665.tif 000004
【図４】
0005137665.tif 000005
【図５】
0005137665.tif 000006